(57)【要約】 【課題】不正行為を防止でき、回動翼片とアーム部間の係合部位の耐久性を良好に確保できる入賞装置を提供する。【解決手段】入賞装置５は、台板１０の前部にて回動可能な一対の回動翼片３０と、ソレノイド４０（駆動アクチュエータ）と、ソレノイド４０の駆動力を回動翼片３０へ伝達する伝達部材５０と、ソレノイド４０および伝達部材５０を収容するベース体６０とを備える。伝達部材５０は、係合突部５６（被作用部）を有する一対のアーム部５１、およびアーム部５１を連結する架橋部５２を有する。ベース体６０は、架橋部５２と当接可能なストッパ突部６３ｂを有する。架橋部５２は、閉位置にある回動翼片３０に対して開位置へ動作させる向きの外力が作用したとき、プランジャ４２のフランジ部４２ａ（作用部）に当接することでアーム部５１の回動を阻止し、かつプランジャ４２の直線移動に伴って回動翼片３０が閉位置に達したとき、ストッパ突部６３ｂに当接することでアーム部５１を位置決めする。【選択図】図６
2010253007.tif 000002
【特許請求の範囲】
【請求項１】
遊技機の遊技盤に固定される台板の前部に該遊技盤と交差する第１軸線回りに回動可能に支持されて遊技球が入球し難い閉位置と入球し易い開位置との間で開閉動作する一対の回動翼片と、
直線移動可能なプランジャを有する駆動アクチュエータと、
前記プランジャが有する作用部と係合可能な被作用部を有し、その被作用部と作用部とが係合状態にあるとき該プランジャの直線移動を前記回動翼片の回転移動に変換しつつ前記駆動アクチュエータの駆動力を該回動翼片へ伝達する伝達部材と、
前記台板の後部に取り付けられて前記駆動アクチュエータを固定配置するとともに、前記伝達部材を前記第１軸線と略直交する第２軸線回りに回動可能に支持するベース体とを備え、
前記伝達部材は、前記被作用部を有する一対のアーム部および該アーム部を連結する架橋部を有し、
前記ベース体は、前記架橋部と当接可能なストッパ部を有しており、
前記架橋部は、前記閉位置にある回動翼片に対して前記開位置へ動作させる向きの外力が作用したとき、前記プランジャの作用部に当接することで前記アーム部の回動を阻止し、かつ前記プランジャの直線移動に伴って前記回動翼片が前記閉位置に達したとき、前記ストッパ部に当接することで前記アーム部を位置決めすることを特徴とする遊技機用可変入賞装置。
【請求項２】
前記伝達部材の被作用部は、対向配置される一対の係合突部で形成されており、該係合突部が前記プランジャの作用部と係合した状態では、該係合突部が前記プランジャを間にして対向配置されるように前記ベース体での該プランジャと前記アーム部との位置関係が設定されている請求項１に記載の遊技機用可変入賞装置。
【請求項３】
請求項１または２に記載の遊技機用可変入賞装置を備えることを特徴とする遊技機。
【発明の詳細な説明】
【技術分野】
【０００１】
本発明は、パチンコ機の始動入賞口等に用いられる遊技機用可変入賞装置と、その遊技機用可変入賞装置を備えるパチンコ機等の遊技機に関する。
【背景技術】
【０００２】
遊技機用可変入賞装置は、遊技球が入球し難い閉位置と入球し易い開位置との間で開閉動作する一対の回動翼片と、直線移動可能なプランジャを有する駆動アクチュエータ（例えば、ソレノイド）と、プランジャの直線移動を回動翼片の回転移動に変換しつつ駆動アクチュエータの駆動力を回動翼片に伝達する伝達部材とを備えるのが一般的である。この種の遊技機用可変入賞装置として、例えば下記特許文献１には、パチンコ機の隙間から針金等を挿入し、この針金等で閉じた状態にある羽根（回動翼片）を強制的に開かせるように外力を作用させた場合でも、メカ的なロックによりソレノイドアーム（伝達部材）の回動を阻止することで上記した不正行為を防止するようにしたものが記載されている。具体的には、ソレノイドアームが一対のアーム部と、両アーム部を連結する第１受け部（架橋部）及び第２受け部とを備えており、プランジャが羽根の閉位置に対応した第１位置にあるときは、プランジャの掛かり部（プランジャの作用部）が第１受け部に当接することでアーム部の回動が規制（ロック）されるようになっている。これによれば、簡易な構成で上記した不正行為を防止することができる。
【先行技術文献】
【特許文献】
【０００３】
【特許文献１】特開２００３−３４００２０号公報
【発明の概要】
【発明が解決しようとする課題】
【０００４】
しかしながら、上記特許文献１に記載された遊技機用可変入賞装置には、羽根が開位置から閉位置に達した状態でソレノイドアームを構成するアーム部の回動を規制する手段が設けられていないので、ソレノイドの駆動力が回動翼片とアーム部との係合部位に過度の負荷となって作用するおそれがあり、その係合部位の耐久性を確保することが困難である。
【０００５】
本発明は、上記課題を解決するためになされたものであり、その目的は、不正行為を防止でき、しかも回動翼片とアーム部との係合部位における耐久性を良好に確保できる遊技機用可変入賞装置をコンパクトに構成することにある。
【課題を解決するための手段および発明の効果】
【０００６】
上記課題を解決するために本発明の遊技機用可変入賞装置は、遊技機の遊技盤に固定される台板の前部に該遊技盤と交差する第１軸線回りに回動可能に支持されて遊技球が入球し難い閉位置と入球し易い開位置との間で開閉動作する一対の回動翼片と、直線移動可能なプランジャを有する駆動アクチュエータと、プランジャが有する作用部と係合可能な被作用部を有し、その被作用部と作用部とが係合状態にあるとき該プランジャの直線移動を回動翼片の回転移動に変換しつつ駆動アクチュエータの駆動力を該回動翼片へ伝達する伝達部材と、台板の後部に取り付けられて駆動アクチュエータを固定配置するとともに、伝達部材を第１軸線と略直交する第２軸線回りに回動可能に支持するベース体とを備え、伝達部材は、被作用部を有する一対のアーム部および該アーム部を連結する架橋部を有し、ベース体は、架橋部と当接可能なストッパ部を有しており、架橋部は、閉位置にある回動翼片に対して開位置へ動作させる向きの外力が作用したとき、プランジャの作用部に当接することでアーム部の回動を阻止し、かつプランジャの直線移動に伴って回動翼片が閉位置に達したとき、ストッパ部に当接することでアーム部を位置決めすることを特徴とする。
【０００７】
この遊技機用可変入賞装置では、閉位置にある回動翼片に対して開位置へ動作させようとする不正な外力が作用したときは、伝達部材の架橋部がプランジャの作用部に当接することでアーム部の回動が阻止される。また、伝達部材の架橋部がベース体のストッパ部に当接することでアーム部の回動が阻止されて位置決めされる。すなわち、伝達部材の架橋部は、プランジャの作用部と協働してアーム部をロックするロック機能を果たすことに加えて、ベース体のストッパ部と協働してアーム部を位置決めするストッパ機能を果たすように構成されている。このようにアーム部が位置決めされると、アーム部から回動翼片に対して駆動力が伝達されなくなり、回動翼片と伝達部材との係合部位に過度の負荷が作用しなくなるので、その耐久性を良好に確保することができる。また、伝達部材の架橋部にストッパ機能を持たせることで、ストッパ機能のみを発揮するストッパ機構を単独に設けなくて済むので、可変入賞装置全体をコンパクトに構成することもできる。
【０００８】
この場合、伝達部材の被作用部は、対向配置される一対の係合突部で形成されており、該係合突部がプランジャの作用部と係合した状態では、該係合突部がプランジャを間にして対向配置されるようにベース体での該プランジャとアーム部との位置関係が設定されているとよい。
【０００９】
従来の遊技機用可変入賞装置では、一対のアーム部を連結する第２受け部が本発明の被作用部として機能するとともに、架橋部としても機能するように構成されていた。このため、第２受け部とプランジャの掛かり部との干渉を回避するためには、ソレノイドをソレノイドアームの上方に配置する必要があり、ベース体の高さ寸法（上下寸法）を大きく設定せざるを得なかった。しかし、被作用部が対向配置される一対の係合突部であれば、係合突部がプランジャの作用部と係合した状態で係合突部がプランジャを間にして対向配置される位置関係、すなわちプランジャとアーム部とが上下で重なり合う位置関係に設定することができるので、ベース体の高さ寸法を小さく設定することができ、ベース体をコンパクトに構成することができる。
【００１０】
また、上記課題を解決するために本発明の遊技機は、上記した遊技機用可変入賞装置を備えることを特徴とする。
【００１１】
これによれば、上記した遊技機用可変入賞装置を遊技機の遊技盤に固定配置することで、不正行為を有効に防止でき、また遊技盤の他の役物の配置スペースを良好に確保することができる。
【図面の簡単な説明】
【００１２】
【図１】本発明に係る遊技機用可変入賞装置を備えた遊技機の一例を示す正面図。
【図２】図１に示した遊技機用可変入賞装置が閉鎖状態にあるときの斜視図。
【図３】図１に示した遊技機用可変入賞装置が開放状態にあるときの斜視図。
【図４】図１に示した遊技機用可変入賞装置の分解斜視図。
【図５】（ａ）はソレノイドと近接スイッチが組み込まれた状態でのベース体の正面図。（ｂ）は（ａ）のＡ−Ａ断面図。
【図６】（ａ）は図２に示した遊技機用可変入賞装置の正面図。（ｂ）は（ａ）のＢ−Ｂ中心断面図。
【図７】（ａ）は図３に示した遊技機用可変入賞装置の正面図。（ｂ）は（ａ）のＣ−Ｃ中心断面図。
【発明を実施するための形態】
【００１３】
以下、本発明の実施の形態について図面を用いて説明する。
【実施例】
【００１４】
図１に示すように、遊技機１における遊技盤２の盤面２ａには、円形の遊技領域が形成されており、この遊技領域は外周縁に沿って形成される円弧状のレール２ｂによって区画されている。盤面２ａの中央には液晶表示部３が搭載され、液晶表示部３の下方（盤面２ａの中央下部）には入賞扉４ａによって形成される大入賞口４（アタッカー）が配置されている。液晶表示部３と大入賞口４との間には、始動入賞口である電動チューリップ（電チュー）と称される遊技機用可変入賞装置（以下、入賞装置と略称する）５が配置されている。
【００１５】
なお、本明細書において、上下とは遊技盤２の盤面２ａに沿う態様で遊技球が流下する方向（鉛直方向）を意味する。また、左右とは遊技盤２の盤面２ａに沿う態様で上下と直交する方向（水平方向）を意味する。また、前後とは遊技盤の盤面２ａに直交する方向（水平方向）を意味し、盤面２ａの前側（遊技者側）が前方側であり、盤面２ａの後側（奥側）が後方側である。
【００１６】
図２〜図４に示すように、入賞装置５は、前方側ユニットＦＵと、この前方側ユニットＦＵに一体的に組み付けられる後方側ユニットＲＵとで構成されている。前方側ユニットＦＵは、台板１０、前側装飾部材２０および一対の回動翼片３０，３０を備えており、後方側ユニットＲＵは、ソレノイド４０、伝達部材５０およびベース体６０を備えている。そして、台板１０とベース体６０とにより近接スイッチ７０が前後に挟み込まれて保持されるようになっている。
【００１７】
台板１０は、その前部にて遊技盤２の盤面２ａに取り付けられ（図１参照）、その後部にてベース体６０に取り付けられる。台板１０の前部には、上下一対の上部入賞口１１と下部入賞口１２とが形成されている。上部入賞口１１は、常に開放状態にある始動入賞口である。下部入賞口１２は、前側装飾部材２０および各回動翼片３０を含んで構成され、各回動翼片３０の閉位置に対応して閉鎖状態となり、開位置に対応して開放状態となる始動入賞口である。
【００１８】
台板１０の後部には、上部入賞口１１に対応して樋１３が形成され、下部入賞口１２に対応して前後に貫通する通過孔１４および樋１５が形成されている。樋１３は、上部入賞口１１に入賞した遊技球をベース体６０の上部へ誘導する。樋１５は、下部入賞口１２に入賞して通過孔１４に導入された遊技球をベース体６０の内部へ誘導する。なお、入賞した遊技球を円滑に後方へ誘導するために、上部入賞口１１および前側装飾部材２０には、それぞれ誘導リブ１６、２１が一体形成されている（図６（ｂ）参照）。
【００１９】
また、台板１０の後部には、ベース体６０に形成された切欠溝６４ａ，６４ａ（図５参照）に前方からスライド嵌合可能な一対のガイド片１７，１７が後方へ突設されている。台板１０は、各ガイド片１７が各切欠溝６４ａに嵌め入れられた状態でベース体６０の取付フランジ部６６にビス８１（例えば２本）によって取り付けられている（図４参照）。
【００２０】
前側装飾部材２０は、後述する各回動翼片３０を開位置あるいは閉位置に保持するための傾斜部２２を備えており、その後部にてビス８２（例えば２本）により台板１０の前部に取り付けられている（図４参照）。
【００２１】
各回動翼片３０は、台板１０と前側装飾部材２０との間に前後に架け渡された支持ピン３１により軸線Ｏ１（第１軸線）回りに回動可能に支持されている。各回動翼片３０は、支持ピン３１よりも内側の部位にて台板１０の通過孔１４を通して台板１０の後部内へ延び出す丸軸状の係合突部３２を備えるとともに、下側の部位にて前側装飾部材２０の傾斜部２２に当接することで各回動翼片３０を閉位置に保持する位置決め片３３を備えている（図４参照）。
【００２２】
各回動翼片３０の係合突部３２は、伝達部材５０から作用を受ける回動翼片３０の被作用部としての機能を果たしている。すなわち、伝達部材５０から係合突部３２に対して下方への力が作用した場合には各回動翼片３０が軸線Ｏ１回りに互いに接近する方向（内方）に付勢され（図６（ｂ）参照）、上方への力が作用した場合には各回動翼片３０が軸線Ｏ１回りに互いに離間する方向（外方）に付勢される（図７（ｂ）参照）。そして、各回動翼片３０は、位置決め片３３が前側装飾部材２０の傾斜部２２に当接することで閉位置に保持され、自身が前側装飾部材２０の傾斜部２２に当接することで開位置に保持される。
【００２３】
ソレノイド４０（駆動アクチュエータ）は、図４に示すように、コイル部４１、プランジャ４２、およびコイル部４１の左右前後を囲う金属製のケース４３を含んで構成され、コイル部４１への通電により発生する電磁力によってプランジャ４２が前後に移動する。
【００２４】
具体的には、プランジャ４２の前端部には、円板状のフランジ部４２ａ（プランジャの作用部）が設けられ、フランジ部４２ａとケース４３との間には圧縮コイルばね４４が介装されており、プランジャ４２が圧縮コイルばね４４を圧縮しつつコイル部４１内へ引き込まれるようになっている。すなわち、プランジャ４２は、コイル部４１の通電解除状態では圧縮コイルばね４４の付勢力により前方へ押し出された原位置（前進位置、突出位置）にあり、コイル部４１の通電状態では圧縮コイルばね４４の付勢力に抗してコイル部４１内へ引き込まれた作用位置（後退位置）に移動する。
【００２５】
伝達部材５０は、図４、図６及び図７に示すように、一対のアーム部５１，５１が架橋部５２，５３により一体形成されたものである。各アーム部５１における外側面の後部下方位置には各アーム部５１をベース体６０に取り付けるための支持軸部５４が外向きに突設され、各アーム部５１の前端には回動翼片３０の係合突部３２と係合可能な二股状の作用部５５が前向きに突設され、各アーム部５１における内側面の後部上方位置にはプランジャ４２のフランジ部４２ａと係合可能な丸軸状の係合突部５６（被作用部）が内向きに突設されている。各アーム部５１は、支持軸部５４を介してベース体６０に軸線Ｏ１と直交する軸線Ｏ２（第２軸線）回りに回動可能に支持されている。
【００２６】
架橋部５２は、各アーム部５１における後部寄りの中央位置に配置されており、平面状をなす上面にてプランジャ４２のフランジ部４２ａに当接可能とされ、また曲面状をなす下面にて後述するベース体６０に形成されたストッパ突部６３ｂ（図５参照）に当接可能とされている。一方、架橋部５３は、各アーム部５１における中央部の上方位置に配置されている。この架橋部５３は、例えば両アーム部５１，５１に対して架橋部５２が捩られる向きの外力が作用した場合でも、両アーム部５１，５１の位置関係を保持する補強材としての機能を果たす。
【００２７】
ベース体６０は、図４に示すように、ソレノイド４０を収容する上側の収容部６１と、伝達部材５０および近接スイッチ７０を収容する下側の収容部６２とを備えている。収容部６１と収容部６２は、水平に延設された仕切壁６３および上下に延設された仕切壁６８によって区画されている。ソレノイド４０は、ベース体６０の後方から収容部６１に組み込まれ、ビス８３によって収容部６１に固定配置される。
【００２８】
収容部６２の左右側壁６４，６４には、図２、図４及び図５に示すように、対応するアーム部５１の支持軸部５４を後方へ向けて嵌め入れ可能な段付き形状の切欠溝６４ａがそれぞれ形成されている。伝達部材５０は、前方から収容部６２内に組み込まれ、各アーム部５１の支持軸部５４が切欠溝６４ａの後端面に当接するまで押し進められる。台板１０がベース体６０に取り付けられた状態では、台板１０の各ガイド片１７の先端が切欠溝６４ａの段部６４ａ１に当接し、各ガイド片１７の先端が各アーム部５１の支持軸部５４に近接するように設定されており、支持軸部５４の前後の移動が切欠溝６４ａの後端面とガイド片１７の先端面とによって規制されるようになっている。
【００２９】
近接スイッチ７０は、遊技球が下部入賞口１２に入賞したことを検知するものであり、前方から収容部６２内に組み込まれ、収容部６２の底壁６５に載置される。収容部６２の底壁６５には、近接スイッチ７０を通過した遊技球を外側へ排出するための切欠孔６５ａが形成されている。なお、下部入賞口１２から樋１５を通ってベース体６０の内部に誘導された遊技球は、両アーム部５１，５１の間を通り抜けて近接スイッチ７０を通過することになるが、このとき遊技球の進入が架橋部５２，５３によって規制されることのないように各アーム部５１の組み付け位置が規定されている。
【００３０】
仕切壁６３は、図５、図６（ｂ）および図７（ｂ）に示すように、仕切壁６８を基端側として底壁６５の切欠孔６５ａの上方に達するよう前方へ延び出しており、その延出部６３ａの前端には、左右一対のストッパ突部６３ｂ，６３ｂ（ストッパ部）が前向きに突設されている。このような左右一対のストッパ突部６３ｂ，６３ｂとしたので、下部入賞口１２から樋１５を通ってベース体６０の内部に導入された遊技球の一部が、それらストッパ突部６３ｂ，６３ｂの間を通過でき、ベース体６０のコンパクト化（特に、上下および左右寸法のコンパクト化）を図ることができる。なお、延出部６３ａの下面および仕切壁６８の前面には、遊技球を底壁６５の切欠孔６５ａへ誘導するための誘導リブ６８ａが一体形成されている。
【００３１】
伝達部材５０の架橋部５２は、各ストッパ突部６３ｂの上面高さ位置以上の領域で動作するように設定されており、各ストッパ突部６３ｂに当接することで各アーム部５１が更に下方側へ回動することを阻止する。すなわち、架橋部５２が各ストッパ突部６３ｂに当接することで各アーム部５１が位置決め（最小高さ位置が規定）されるようになっている。
【００３２】
収容部６２の各側壁６４の前部には、台板１０を取り付けるための取付フランジ部６６が形成されている。収容部６２の天井壁６７の上面（外側面）は、図５（ａ）に示すように、例えば右方へ向かうに従って高さが連続的に低くなる傾斜面状に形成されており、台板１０の樋１３からの遊技球をベース体６０の外側の所定位置へ誘導する誘導路として機能する。なお、天井壁６７には遊技球の落下を阻止する落下阻止壁６７ａが一体形成され、落下阻止壁６７ａには遊技球を例えば右方へ向けて誘導する誘導リブ６７ｂが一体形成されている。また、天井壁６７の下面（内側面）には、プランジャ４２のフランジ部４２ａの前端面と当接してプランジャ４２の原位置を規定するストッパ壁６７ｃが一体形成されている。
【００３３】
次に、図６及び図７を用いて、上記のように構成された入賞装置５の動作について説明する。なお、図６（ｂ）および図７（ｂ）では、ソレノイド４０の圧縮コイルばね４４を省略してある。ソレノイド４０のコイル部４１が通電解除状態になると、図７（ｂ）に示す作用位置にあるプランジャ４２が図６（ｂ）に示す原位置に向けて移動する。プランジャ４２の前方への移動に伴って、各アーム部５１は自重により軸線Ｏ２回り（支持軸部５４回り）に下方へ回動する（図４参照）。各アーム部５１の作用部５５は回動翼片３０の係合突部３２を押し下げ、各回動翼片３０を軸線Ｏ１回り（支持ピン３１回り）に互いに接近する方向に回動させる。プランジャ４２が原位置に達するのとほぼ同時に、架橋部５２が仕切壁６３のストッパ突部６３ｂに当接する。架橋部５２が仕切壁６３のストッパ突部６３ｂに当接した状態では、各回動翼片３０が閉位置にある。
【００３４】
一方、コイル部４１が通電状態になると、図６（ｂ）に示す原位置にあるプランジャ４２が図７（ｂ）に示す作用位置に向けて移動する。プランジャ４２が後方へ移動すると、プランジャ４２のフランジ部４２ａが各アーム部５１の係合突部５６に係合し、以後はプランジャ４２の後方への移動に伴って各アーム部５１が軸線Ｏ２回りに上方へ回動する。各アーム部５１の作用部５５は回動翼片３０の係合突部３２を押し上げ、各回動翼片３０を軸線Ｏ１回りに互いに離間する方向に回動させる。このとき、プランジャ４２のフランジ部４２ａが架橋部５２の上方位置から後方位置へと移動するため、架橋部５２はフランジ部４２ａによって回動を規制されることなく、ストッパ突部６３ｂから離間して上方へ移動していく。プランジャ４２が作用位置に達した状態では、各回動翼片３０が開位置にある。
【００３５】
ところで、この実施例では、プランジャ４２が原位置にあって各回動翼片３０が閉位置にあるとき（図６参照）、不正行為により各回動翼片３０および伝達部材５０を強制的に開位置へ動作させようとする外力が作用した場合には、伝達部材５０の架橋部５２がプランジャ４２のフランジ部４２ａに当接することで各アーム部５１が軸線Ｏ２回りに上方へ回動することが阻止（ロック）される。これにより、各回動翼片３０の閉状態が保持されるので、不正行為を防止することができる。
【００３６】
また、各回動翼片３０が閉位置に達するのとほぼ同時に、伝達部材５０の架橋部５２がベース体６０における仕切壁６３のストッパ突部６３ｂに当接することで各アーム部５１が更に軸線Ｏ２回りに下方へ回動することが阻止される。
【００３７】
すなわち、伝達部材５０の架橋部５２は、プランジャ４２のフランジ部４２ａと協働して各アーム部５１をロックするロック機能を果たすことに加えて、仕切壁６３のストッパ突部６３ｂと協働して各アーム部５１を位置決めするストッパ機能を果たすように構成されている。このように各アーム部５１が位置決めされると、各アーム部５１から回動翼片３０に対して駆動力が伝達されなくなり、各回動翼片３０とアーム部５１間の係合部位、すなわち回動翼片３０の係合突部３２やアーム部５１の作用部５５に過度の負荷が作用しなくなるので、その耐久性を良好に確保することができる。また、伝達部材５０の架橋部５２にストッパ機能を持たせることで、ストッパ機能のみを発揮するストッパ機構を単独に設けなくて済むので、入賞装置５全体をコンパクトに構成することもできる。
【００３８】
また、この実施例では、プランジャ４２のフランジ部４２ａと係合するアーム部５１側の係合部が、両アーム部５１，５１を連結するタイプではなく、両アーム部５１，５１の内方で対向し合う一対の係合突部５６，５６とされている。これにより、各係合突部５６がプランジャ４２のフランジ部４２ａと係合した状態で各係合突部５６の軸線がプランジャ４２と交差する位置関係、すなわちプランジャ４２と各アーム部５１とが上下で重なり合う位置関係に設定することができるので、ベース体６０の高さ寸法を小さく設定することができ、ベース体６０をコンパクトに構成することができる。
【００３９】
また、上記実施例では、以上に説明した入賞装置５が遊技盤２に固定配置されている。これにより、不正行為を有効に防止でき、また遊技盤２の他の役物の配置スペースを良好に確保することができる。
【符号の説明】
【００４０】
１  遊技機
２  遊技盤
２ａ  盤面
５  入賞装置（遊技機用可変入賞装置）
１０  台板
２０  前側装飾部材
３０  回動翼片
３１  支持ピン
３２  係合突部
４０  ソレノイド（駆動アクチュエータ）
４２  プランジャ
４２ａ  フランジ部（プランジャの作用部）
５０  伝達部材
５１  アーム部
５２  架橋部
５４  支持軸部
５５  アーム部の作用部
５６  係合突部（被作用部）
６０  ベース体
６１，６２  収容部
６３，６８  仕切壁
６３ａ  延出部
６３ｂ  ストッパ突部（ストッパ部）
６４  側壁
６４ａ  切欠溝
７０  近接スイッチ
Ｏ１  軸線（第１軸線）
Ｏ２  軸線（第２軸線）
【図１】
2010253007.tif 000003
【図２】
2010253007.tif 000004
【図３】
2010253007.tif 000005
【図４】
2010253007.tif 000006
【図５】
2010253007.tif 000007
【図６】
2010253007.tif 000008
【図７】
2010253007.tif 000009